(57)【要約】      （修正有）【課題】チェーンソーのガイドバーを調節ピン及び／又は調節ねじで調節する機構において、調節ピン及び／又は調節ねじの損傷を防止する。【解決手段】チェーンソーのバー調節アッセンブリ１０は、調節ねじ１２と、この調節ねじを中心に回転可能に軸支されている調節ピン１４と、係合位置に向けてピンをバイアスするピン整列ばね１６を備える。ピンを収容するための空洞が設けられており、ピンは、ガイドバーが適正に取り付けられなかった場合、係合位置から逸れるように回転することができる。【選択図】図２
2006191926.tif 000002
【特許請求の範囲】
【請求項１】
チェーンソーのガイドバー調節アッセンブリであって、
シャフト、
シャフトを中心に回転可能に軸支されたバー調節ピン、及び
バー調節ピンの回転に対して係合位置の方向へバイアスを与えるピン整列ばね
を備えたガイドバー調節アッセンブリ。
【請求項２】
バー調節ピンが回転して係合位置から離れた時にバー調節ピンを収容する空洞をさらに備えた請求項１に記載のガイドバー調節アッセンブリ。
【請求項３】
シャフトが外ねじを備えており、シャフトが回転するとバー調節ピンがシャフトと螺合してシャフトの長軸に沿って移動する、請求項１に記載のガイドバー調節アッセンブリ。
【請求項４】
ピン整列ばねによってバー調節ピンが係合位置を越えて回転することを防止するための停止機構をさらに備える、請求項１に記載のガイドバー調節アッセンブリ。
【請求項５】
ピン整列ばねがシャフトに軸支されたねじりコイルばねである、請求項１に記載のガイドバー調節アッセンブリ。
【請求項６】
ピン整列ばねが、ピン整列ばねの一端に延長部を有しており、延長部がバー調節ピンと係合する、請求項１に記載のガイドバー調節アッセンブリ。
【請求項７】
チェーンソーのガイドバー調節アッセンブリであって、
ガイドバーの位置を調節するための、可動のバー調節ピンを備えた調節手段、及び
バー調節ピンを自動整列させる整列手段
を備えたガイドバー調節アッセンブリ。
【請求項８】
ガイドバーが正しく整列していない場合に、バー調節ピンを収容するための手段をさらに備えた、請求項７に記載のガイドバー調節アッセンブリ。
【請求項９】
ピン整列手段がねじりコイルばねである、請求項７に記載のガイドバー調節アッセンブリ。
【請求項１０】
チェーンソー本体、
チェーンソー本体へスライド可能に取り付けるための調節穴を備えたガイドバー、
バー調節シャフト、
シャフトを中心にして回転可能に軸支されたバー調節ピン、及び
ガイドバーがチェーンソー本体に取り付けられている時、ガイドバーの調節穴にバー調節ピンが挿入されるように、係合位置に向けて当該バー調節ピンの回転に対してバイアスを与えるピン整列ばね
を備えたチェーンソー。
【請求項１１】
チェーンソー本体が、バー調節ピンが回転して係合位置から離れた時にバー調節ピンを収容するための空洞を有している、請求項１０に記載のチェーンソー。
【請求項１２】
シャフトが外ねじを有しており、シャフトが回転するとバー調節ピンがシャフトと螺合してシャフトの長軸に沿って移動する、請求項１０に記載のチェーンソー。
【請求項１３】
ピン整列ばねによってバー調節ピンが係合位置を越えて回転することを防止するための停止機構をさらに備えた、請求項１０に記載のチェーンソー。
【請求項１４】
ピン整列ばねがシャフトに軸支されるねじりコイルばねである、請求項１０に記載のチェーンソー。
【請求項１５】
ピン整列ばねが、ピン整列ばねの一端に延長部を有しており、延長部がバー調節ピンと係合する、請求項１０に記載のチェーンソー。
【発明の詳細な説明】
【技術分野】
【０００１】
本発明は、チェーンソーのガイドバー調節機構に関し、詳細には離脱調節ピンを備えた調節機構に関する。
【背景技術】
【０００２】
チェーンソーのチェーンの張力を調節するための様々な機構が知られている。これらの機構のほとんど全ては、チェーンが載っているガイドバーの運動を必要とする。ガイドバーを伸ばすことによって、チェーンの張力は大きくなる。逆に、ガイドバーを縮めると、チェーンの張力は小さくなる。
ガイドバーの位置を調節するために一般に用いられている機構は、チェーンソーの本体に設けられた調節ねじに螺合する調節ピンからなる。この調節ピンは、ガイドバーに設けられた穴に係合する。調節ねじを回転させると、ピンはねじに沿って前進又は後退し、それと共にガイドバーを動かす。
【発明の開示】
【発明が解決しようとする課題】
【０００３】
このような調節ピン方式のチェーンテンショニング機構における問題点は、ガイドバーがチェーンソー本体上に組み立てられている時に生じる。バーが本体に配置されると、通常ピンは見えない。組み立てられた状態でガイドバー及び調節ピンが適正に整列していない場合、調節ピン及び／又は調節ねじが損傷する恐れがある。
【課題を解決するための手段】
【０００４】
本発明は、自動整列離脱調節ピンを備えたチェーンソーのバー調節アッセンブリを提供する。このアッセンブリは、シャフトと、このシャフトを中心に回転可能に軸支されているバー調節ピンと、係合位置に向けてバー調節ピンの回転にバイアスを与えるピン整列ばねとを備えている。
本発明のさらに別の態様によれば、アッセンブリは、バー調節ピンが係合位置から離れる方向へ回転する時にバー調節ピンを収容するための空洞をさらに備えている。
【発明を実施するための最良の形態】
【０００５】
図１〜７に示すように、チェーンソーのガイドバー調節機構１０は、ねじ山が切られたシャフト又は調節ねじ１２、調節ピン１４及びピン整列ばね１６を備えている。調節ねじ１２は、チェーンソー本体２０の一部に形成された空洞もしくは凹所１８内に取り付けられている。
調節ピン１４は、調節ねじ１２に軸支されている。調節ピン１４及び調節ねじ１２には、合致するねじ山が設けられている。調節ねじ１２のヘッド１２ａに適切な工具を用いることによって調節ねじ１２を回転させると、調節ピン１４は、調節ねじ１２の長手方向に沿って前後に動く。ガイドバー２４がチェーンソー本体２０に適正に取り付けられている場合（図４及び図７）、調節ピン１４は、通常ガイドバー２４に形成された調節穴又はスロット２２に係合している。調節穴２２と調節ピン１４とが係合することによって、調節ピン１４を調節ねじ１２の長手方向に沿って移動する時、ガイドバー２４がこれに伴って移動する。
【０００６】
チェーンソーを組み立てるとき、図４に示すように、ガイドバー２４をチェーンソー本体２０に配置し、図４及び図７に示すように、調節ピン１４がガイドバー２４の調節穴２２を通って突出させる。次いで、ガイドバー２４及びチェーンソー本体２０を覆うようにチェーンソーのカバー部分２５を配置する。このカバー部分２５は、２つのボルト２６又は別の締め具によって所定の場所に固定される（図１参照）。
図５に破線で示すように、凹所１８は、調節ピンもしくはガイドピン１４が凹所１８内で完全に枢動できるような形状を有している。したがって、ガイドバー２４がチェーンソー本体２０に適正に配置されておらず、調節穴２２が調節ピン１４と整列していない場合も、調節ピン１４は正規の位置とは異なる位置で枢動することができ、調節機構１０に損傷が生じることが回避される（図３及び図６）。
【０００７】
ピン整列ばね１６は、ガイドバー２４が取り付けられていない時に調節ピン１４を適正な方向に保持するために、調節ねじ１２に設けられたねじりコイルばねである。ピン整列ばね１６は、第１及び第２の自由端（２７、２８）を有するねじりコイルばねである。ピン整列ばね１６の第１端２７は、調節ピン１４と係合し、ピン整列ばね１６の第２端２８は、凹所１８内でチェーンソー本体２０の面と係合する。ピン整列ばね１６は、調節ねじ１２にて軸支されるように調節ねじ１２に緩く巻き付けられており、これにより、ピン整列ばね１６は調節ねじ１２に沿って調節ピン１４と共に移動可能である。別の態様では、別の種類のばね、例えば引張りコイルばね、圧縮コイルばね、渦巻きばね、薄板ばね等、又は他の既知の種類のバイアス手段、例えば弾性バンド又はストラップ、弾性発泡体或いはゲルパッド等をピン整列手段として使用することができる。
このピン整列ばね１６は、調節ピン１４の枢動に対し、凹所１８から離れる方向にバイアスを与えるように配置されている。図２、５及び７に示すように、調節ピン１４が係合位置で完全に直立している場合、停止面３０は、チェーンソー本体２０の凹所１８内の面３１と接している。２つの面３０、３１が接することによって、調節ピン１４がさらに枢動することが防止される。別の態様では、別の停止機構を使用することもできる。
【０００８】
前述のように、ガイドバー２４がチェーンソー本体２０に不適正に配置された時、調節ピン１４は、凹所１８内へ枢動する。続いてガイドバー２４をチェーンソー本体２０から取り外すと、整列ばね１６が、調節ピン１４を完全に直立する位置まで枢動させるので、これにより適正に整列されたガイドバー２４を、調節ピン１４を手動で再配置する必要なく再び組み立てることができる。
本開示内容は例示を目的としていること、及び本開示に含まれる教示の適正な範囲から逸脱することなく、詳細の追加、変更又は削除によって様々な変形が可能であることは明白である。したがって、本発明は、特許請求の範囲によって限定される範囲を越えない限り、本明細書の特定の詳細に限定されることはない。
【図面の簡単な説明】
【０００９】
【図１】本発明によるガイドバー調節機構を有するチェーンソーの全体図である。
【図２】本発明によるガイドバー調節機構を収容するチェーンソー本体の一部の平面図である。
【図３】図２のチェーンソー本体の平面図であって、ガイドバーが正しく取り付けられていない状態を示す。
【図４】図２のチェーンソー本体の平面図であって、ガイドバーが正しく取り付けられている状態を示す。
【図５】チェーンソー本体及びガイドバー調節機構の、図２の切断線５−５に沿った断面図であって、ガイドバーを組み立てる方向を示す。
【図６】チェーンソー本体及びガイドバー調節機構の、図３の切断線６−６に沿った断面図である。
【図７】チェーンソー本体及びガイドバー調節機構の、図４の切断線７−７に沿った断面図である。
【符号の説明】
【００１０】
１０    ガイドバー調節機構
１２    調節ねじ
１４    調節ピン
１６    ピン整列ばね
１８    凹所
２０    チェーンソー本体
２２    調節穴
２４    ガイドバー
２５    カバー部分
２６    ボルト
２７    ピン整列ばね１６の第１端
２８    ピン整列ばね１６の第２端
３０    停止面
３１    凹所１８内の面
【図１】
2006191926.tif 000003
【図２】
2006191926.tif 000004
【図３】
2006191926.tif 000005
【図４】
2006191926.tif 000006
【図５】
2006191926.tif 000007
【図６】
2006191926.tif 000008
【図７】
2006191926.tif 000009
【外国語明細書】
2006191926000001.pdf
2006191926000002.pdf
2006191926000003.pdf
2006191926000004.pdf